【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
光放出要素（１０５）を受容して構成されたハウジング（１０７）を有するパネル（１１３）実装用の光放出要素組立体（１００）であって、
ベゼル（１１９）と実装構造（１０１）とを備え、
前記ベゼルは、前記ハウジング内で表面（４０３）と着脱可能に係合して構成され、
前記ベゼルの表面（１２０）から延びる少なくとも１つのラッチアーム（１２１）を含み、パネル（１１３）と相対的な位置に前記光放出要素組立体を保持するように構成され、
前記実装構造は、前記実装構造上に動作するように実装された前記光放出要素を含むことを特徴とする光放出要素組立体。
【請求項２】
さらに前記パネルと前記ハウジングの間に配置されたガスケット（１１７）を含む請求項１に記載の光放出要素組立体。
【請求項３】
前記ハウジングは、さらに前記光放出要素からの配光のために配置され調整されたレンズ部（１１１）を含む請求項１に記載の光放出要素組立体。
【請求項４】
前記ハウジングは、さらに選択的に少なくとも１つの前記ラッチアームを前記ハウジングから係合解除するために構成された１つ以上のフレキシブルカンチレバー脚（１０９）を含む請求項１に記載の光放出要素組立体。
【請求項５】
前記ハウジングは、少なくとも１つのラッチアーム（１２１）を受容して構成された１つ以上のスロット（４０１）を含む請求項４に記載の光放出要素組立体。
【請求項６】
少なくとも１つのラッチアーム（１２１）は、開口部（１１５）を通じて前記パネルへの挿入が前記ハウジングの係合となるように、スロット（４０１）と位置決めされる請求項５に記載の光放出要素組立体。
【請求項７】
１つ以上のフレキシブルカンチレバー脚（１０９）はラッチアーム１２１に近接しており、前記フレキシブルカンチレバー脚が内部へ押し下げられると、前記ラッチアームは表面（４０３）との係合から外れて移動され、ベゼルは十分に取り外し可能なように係合解除される請求項６に記載の光放出要素組立体。
【請求項８】
前記ベゼルは、さらに位置決め機構（８０１）を含み、
前記位置決め機構は、前記ベゼルを前記ハウジングおよび／または前記パネルと位置決めするように構成されている請求項１に記載の光放出要素組立体。
【請求項９】
少なくとも１つのラッチアーム（１２１）は、前記ハウジング内の表面（１２０１）と着脱可能に係合可能な第一セット（１００１）と前記パネルの表面（１１０１）と着脱可能に係合可能な第二セット（１００３）とを含む請求項１に記載の光放出要素組立体。
【請求項１０】
前記第一セットは、前記ハウジング内の表面（１２０１）と内部に係合して構成されている請求項９に記載の光放出要素組立体。
【請求項１１】
前記第二セットは、前記パネルの表面（１１０１）と外部に係合して構成されている請求項９に記載の光放出要素組立体。
【請求項１２】
前記第二セットは、前記第一セットが前記ハウジング内の表面（１２０１）と係合する前に、前記パネルの表面（１１０１）と着脱可能に係合して構成されている請求項９に記載の光放出要素組立体。
【請求項１３】
前記ハウジングは、さらに前記パネル上の機構（１００７）およびこれに対応する機構（１００９）を含み、これら機構は、前記パネルおよび／またはベゼルと前記ハウジングを位置決めさせるように構成されている請求項１に記載の光放出要素組立体。
【手続補正２】
【補正対象書類名】明細書
【補正対象項目名】全文
【補正方法】変更
【補正の内容】
【発明の詳細な説明】
【発明の名称】パネル実装用光放出要素組立体
【技術分野】
【０００１】
本発明は、一般に光放出組立体とシステムに関し、より詳細にはパネル実装用光放出要素組立体とシステムに関する。
【背景技術】
【０００２】
近年の発光ダイオード（ＬＥＤ）のような低電圧光源における技術的進歩により、今では光源に適した低電圧光源を提供できるようになっている。低電圧光源は従来使用の光源と比べて電力消費を小さなものとし、従来使用の光源と比べて低コスト・高効率を提供できうるものである。
【０００３】
ＬＥＤの具体的使用態様は、スポット光照射のための小さなピン光放出組立体である場合がある。これらのピンスポットライトは光照射を案内するための実装されたパネルである場合がある。いくつかのアプリケーションでは、全体のピンスポットライト組立体が制約されたスペースに合うように十分に小さい場合がある。加えて、光放出組立体は修理・交換可能でなければならない。
【発明の概要】
【発明が解決しようとする課題】
【０００４】
従来の設計は、ランプハウジングの外側のラッチ機構を提供している。このことはランプ組立体に実装使用されるベゼルの全体サイズを大きくし、パネルを非常に大きなものとする。課題としては、かさばる外側のラッチ結合が、組立体を審美的に低度のものとし、さらに、極めて制限的な位置での光放出組立体へのパッキングが難しくなることである。加えて、光放出組立体によって占有されるスペースの最小限化は、自動車のインテリア光源などのアプリケーションにとってしばしば課題である。
【課題を解決するための手段】
【０００５】
解決手段は、光放出組立体とシステムがここに示されるように、制限されたスペースに実装可能で、かつ、修理・交換・組立体の個別要素についてアップグレードのための据え付け・分解が容易であることである。組立体は、光放出組立体を受け入れるためのハウジングを含む。加えて、この組立体は、ベゼルの表面から延びる少なくとも１つのラッチアームを有するベゼルを含む。ベゼルは着脱可能にハウジング内表面に係合するように構成されている。ベゼルは、さらに、パネルに関してある位置に組立体を保持するように構成されている。組立体は、操作可能に実装された光放出要素を有する実装構造をも含んでいる。
【０００６】
次に、添付の図面を参照して、本発明を説明する。
【図面の簡単な説明】
【０００７】
【図１】図１は、本実施形態の光放出要素組立体の例示的な実施形態の分解斜視図である。
【図２】図２は、本実施形態のパネルに実装された光放出要素組立体の例示的な実施形態の斜視図である。
【図３】図３は、図２の線３−３に沿って切り取った光放出要素組立体の横断面図である。
【図４】図４は、図２の線４−４に沿って切り取った光放出要素組立体の横断面図である。
【図５】図５は、図２の光放出要素組立体のＰＣＢ組立体の斜視図である。
【図６】図６は、図２の光放出要素組立体のベゼルの一実施形態の斜視図である。
【図７】図７は、図２の光放出要素組立体のハウジングの斜視図である。
【図８】図８は、別の実施形態のベゼルの斜視図である。
【図９】図９は、図８のベゼルを含む光放出要素組立体の横断面図である。
【図１０】図１０は、本実施形態の光放出要素組立体の別の態様の実施形態の分解斜視図である。
【図１１】図１１は、本実施形態の、パネルに実装されたベゼルを有する光放出要素組立体の例示的実施形態の部分分解図である。
【図１２】図１２は、本実施形態の、パネルに実装された光放出要素組立体の例示的実施形態の斜視図である。
【図１３】図１３は、図１２の線１３−１３に沿って切り取った光放出要素組立体の横断面図である。
【図１４】図１４は、図１２の線１４−１４に沿って切り取った光放出要素組立体の横断面図である。
【図１５】図１５は、本実施形態に係るベゼルの斜視図である。
【図１６】図１６は、本実施形態の、光放出要素組立体の別の例示的実施形態の分解図である。
【図１７】図１７は、本実施形態の、パネルに実装されたベゼルを有する光放出要素組立体の例示的実施形態の部分分解図である。
【図１８】図１８は、本実施形態の、パネルに実装された光放出要素組立体の例示的実施形態の斜視図である。
【図１９】図１９は、図１８の線１９−１９に沿って切り取った光放出要素組立体の横断面図である。
【図２０】図２０は、図１８の線２０−２０に沿って切り取った光放出要素組立体の横断面図である。
【図２１】図２１は、本実施形態のハウジングの斜視図である。
【図２２】図２２は、本実施形態のベゼルの斜視図である。
【発明を実施するための形態】
【０００８】
図１は、本実施形態に係るパネル実装光放出要素組立体１００の分解図である。組立体１００は、電気的連通のためのワイヤ１０３を有する実装基板１０１を含む。光放出要素１０５は、光照射を提供するあらゆる可能性のあるデバイスであればよい。適度な光放出要素１０５は、光照射を提供するために、特に限られないが発光ダイオード（ＬＥＤ）、レーザダイオード、有機発光ダイオード（ＯＬＥＤ）、白色光、蛍光灯、ポリマー発光ダイオード、燐放出光、電界発光のような光放出要素１０５を用いることができる。実装基板１０１は、光放出要素１０５を支持・制御・電力を提供することが可能である特に限られないデバイス、表面、構造、基質であってよい。実装基板１０１の使用態様としての適切な構造は、特に限られることがないがプリント回路基板（ＰＣＢ）などを用いてもよい。加えて、ワイヤ１０３はワイヤや他の電力供給機構と接続可能であれば特に限られることがなく用いることができる。光放出要素１０５のための電力源は、有線の電力源に限られることなく、ワイヤ１０３を含んでも含まなくてもよく、バッテリや光起電性電池や他の電力源を用いることができる。ハウジング１０７は、実装基板および光放出要素１０５と構成される。ハウジング１０７は、さらにハウジング１０７の末端に沿って延びるフレキシブルカンチレバー脚１０９を含む。ハウジング１０７は、特に限られることがなく、ＡＢＳ樹脂や他の同様の電気絶縁性ポリマー材料や適宜選択された材料から形成される。ハウジング１０７は、さらには、ハウジング本体から延びるレンズ部１１１を含む。レンズ部１１１は、実質的に透明で、透光で、または他の配光・光分散材料を含む。レンズ部１１１に対して適切な材料は、特に限られることがなく、アクリル樹脂、ポリカーボネート樹脂などの透明性樹脂を挙げることができる。
【０００９】
パネル１１３は、そこに配置された開口部１１５を含んでいる。パネル１１３は、特に限られることなく、任意の表面・構造・基質であってよく、光放出要素組立体１００がその上に実装される。例えばパネル１１３は、ポリマーや他の材料シートであってもよく、発光はパネル１１３の一側で起こるように要望され、スペースは限られており、ハウジング１０７のような光放出要素構造の大部分、実装基板１０１と光放出要素１０５は、パネル１１３の逆側に配置されている。ハウジング１０７とパネル１１３との間に配されるのはガスケット１１７である。組立体１００は、ガスケット１１７を含んで図示されているが、ガスケットは省略することが可能である。ガスケットは、発泡体や他の絶縁性材料から形成してもよく、シールや振動の耐久を提供し、および／または、ハウジング１０７とパネル１１３を、特に組立体１００の据え付けと分解の際に、ショックから保護する。組立体１００は、さらにディスプレイ表面すなわちフェイスプレート１２０とそこから延びる２つのラッチアーム１２１を有するベゼル１１９を含んでいる。ラッチアーム１２１は、フレキシブルカンチレバーラッチで有り、開口部１１５を通じて結合され、着脱可能にハウジング１０７表面と係合する。ハウジング１０７と係合すると、ベゼル１１９は、パネル１１３に近接してまたは反対に残ることとなる。この係合は、組立体１００をパネル１００と対応する場所に保持している。換言すれば、ラッチアーム１２１、ハウジング１０７と係合し、ハウジング１０７とラッチアーム１２１との係合は、ベゼル１１９とパネル１１３の係合を提供する。ベゼル１１９は組立体１００の位置を保持する。一実施形態では、図１に示されるように、ベゼル１１９はダブルビームラッチを含んでいる。しかしながら、本実施形態は、これに限られることはないが、開口部１１５と係合するハウジング１０７を通じて延びることが可能などんなラッチアーム１２１を用いてもよい。
【００１０】
図２は、パネル１１３に実装された実施形態に係る組立体１００の底面から見た斜視図である。図２に示されるように、ベゼル１１９は、パネル１１３の開口部１１５（図２では示されていない）を通じてハウジング１０７と係合される。ハウジング１０７とベゼル１１９の係合は、パネル１１３と関連した組立体１００の関連位置を維持する。動作の際には、光放出要素１０５は、光照射を提供し、所望の方法で、レンズ部１１１は結果の光を送るか配光する。
【００１１】
図３には、図２の線３−３で切断した断面図が示される。図３に示されるように、実装基板１０１はハウジング１０７と係合される。ハウジング１０７は、ハウジング１０７へ向かって下方に直面する光放出要素１０５と実装基板１０１を固定するための機構３０１を含んでいる。実装基板１０１は、公知の適宜方法でハウジング１０７と係合または付着されてよい。例えば、図２には、機械的な内部ロック調整機構が示されているが、実装基板１０１は、ハウジング１０７に、接着やラッチやＰＣＢ構造とハウジング１０７との係合のための公知の方法で、搭載されてもよい。加えて、光放出要素１０５は、十分にレンズ部１１１に近接して配置され、所望の位置に高効率の配光を提供する。
【００１２】
図４は、図２の線４−４で切断した断面図である。ベゼル１１９のラッチアーム１２１は、ハウジング１０７のスロット４０１を通じて延び、表面４０３と係合されている。図４に示されるように、脚部１０９は、ベゼル１１９のラッチアーム１２１に隣接または近接して配置される。ハウジング１０７からベゼル１１９を係合解除するには、脚部１０９は、表面４０３からラッチアーム１２１を係合解除するために、十分な距離をもって内部に押し下げられる。以上の係合解除において、ベゼル１１９は、スロット４０１を経由して取り除かれる。一度ベゼル１１９が取り除かれると、組立体１００はパネル１１３から取り除かれ、修理のための解体・交換・個別要素のアップグレードがなされる。
【００１３】
図５には、実装基板１０１の底面から見た斜視図が示される。実装基板１０１は、特に限られることなく、光放出要素１０５を支持・制御・電力供給することが可能なデバイス・表面・構造・基質であってよい。実装基板１０１の使用に対して適切な構造は、プリント回路基板（ＰＣＢ）であれば特に限られることがない。実装基板１０１がＬＥＤのような光放出要素１０５や図示しない実装基板上に固定された抵抗やキャパシタのような対応する電気的要素を含むＰＣＢ組立体を含んでもよい。ワイヤ１０３のセットは、実装基板１０１上に固定され、光が光放出要素１０５から放出されるように電気的要素に電力を供給する。しかしながら、光放出要素１０５の電源が有線の電源に限られず、ワイヤ１０３を含んでも含まなくてもよく、バッテリや光起電性電池や他の電力源を用いることができる。
【００１４】
図６は、ラッチアーム１２１を有するベゼル１１９を示す。図示されるように、ラッチアーム１２１は、ハウジング１０７と係合して構成されている。ラッチアーム１２１は、スロット４０１に挿入され（図４、図７）、ハウジング１０７の表面と係合している。加えて、ベゼル１１９は、パネル１１３に組立体１００を固定することに加えて、ベゼル１１９がレンズ部１１１を装飾するように係合されると、可視的なカーブされ装飾された表面である審美的な要望を満たすものである。
【００１５】
図７は、ハウジング１０７の下からの斜視図を示す。ハウジング１０７はより好ましくはポリマー材料である。ハウジング１０７は、さらに，アクリル樹脂やポリカーボネート樹脂など特に限られることがないが、透明性のポリマー材料からなるレンズ部１１１を含む。これら要素は互いにスナップされると、ラッチアーム１２１は、ハウジング１０７を固定してハウジング１０７と係合し、レンズ部１１１のスペースへの露出がなされることになり、所望の光照射がなされる。レンズ部１１１は、光放出要素１０５によって放出された光を配光する。一実施形態では、レンズ部は、透明で光放出要素１０５の光が実質的に不変のレンズ部を通じて配されるようにされている。レンズ部１１１は、異なる光パターンを創り出すフードであってもよい。レンズ部１１１は、特定の光アプリケーションのための所望に応じて、光学的特徴、フィルタ、他の効果を含んでいる。加えて、レンズ部１１１の表面は角度づけられてもよく、プリズムとされてもよく、ハウジング１０７への単純な変化とするだけで様々な配光が実現されることになる。
【００１６】
図８には、別の実施態様のベゼル１１９の斜視図が示される。図６に関連して説明されるが、ベゼル１１９はラッチアーム１２１を含んでいる。ラッチアーム１２１は、ハウジング１０７と係合して構成され、ハウジング１０７へ挿入されて一部で係合される（図４）。加えて、ラッチアーム１２１、ベゼル１１９は、図８に示すように、ベゼルフェイスプレート１２０から延び、パネル１１３とハウジング１０７のベゼルの所望位置決め機能の配置を提供する位置決め機構８０１を含む。
【００１７】
図９には、図３を参照して説明されるものとは別の実施形態に係る別のベゼルの断面図である。特に、図９は実装基板１０１がハウジング１０７と係合される。ハウジング１０７は、機構３０１を含み、実装基板１０１をハウジング１０７へ向かって下方に直面する光放出要素１０５と固定する。実装基板１０１は、係合され、または、ハウジング１０７に公知適宜方法にて付着される。加えて、光放出要素１０５は、十分にレンズ部１１１に近接して配置され、所望の位置に高効率の配光を提供する。加えて、図９に示されているベゼル１１９は、位置決め機構８０１を含む。位置決め機構８０１は、ベゼルフェイスプレート１２０から延び、パネル１１３とハウジング１０７のベゼルの所望位置決め機能の配置を提供する。加えて、位置決め機構８０１の位置は、パネル１１３および／またはハウジング１０７の対応位置に、回転や不要な移動や係合解除が防止されるように、嵌合または挿入される。
【００１８】
図１０には、他の実施形態に係るパネル実装用光放出要素組立体の分解図が示される。組立体１００は、電気的連通するワイヤ１０３を有する実装基板１０１と図１に参照される構造とを含む。光放出要素１０５（図１０では図示されていないが）は、実装基板１０１に搭載され、特に限られることがなく、図１およびその関連記載で述べたように光照射を提供するデバイスを用いることができる。ハウジング１０７は、実装基板１０１、１０５に受容されて構成される。ハウジング１０７は、さらにハウジング本体から延びるレンズ部１１１を含む。
【００１９】
パネル１１３は、そこに配置された開口部１１５を含んでいる。パネル１１３は、特に限られることがない表面・構造・基質であってよく、光放出要素組立体１００がその上に実装される。ハウジング１０７とパネル１１３との間に配されるのはガスケット１１７である。組立体１００がガスケット１１７を含んで図示されているが、ガスケットは省略することが可能である。ガスケットは、発泡体や他の絶縁性材料から形成してもよく、シールや振動の耐久を提供し、および／または、ハウジング１０７とパネル１１３を、特に組立体１００の据え付けと分解の際に、ショックから保護する。パネル１１３は、例えばＡＢＳ樹脂やポリプロピレン樹脂、発砲体や装飾的・審美的提供をするシートや硬いパネルへの繊維を含む構成のパネルなどの硬いパネルで形成されてもよい。パネル１１３は、対応ハウジング機構１００９が挿入されるキャビティを提供するパネル機構１００７を含む。組立体１００は、さらにディスプレイ表面またはフェイスプレート１２０とそこから延びるラッチアーム１２１の第一セット１００１および第二セット１００３を有している。それぞれ第一セット１００１および第二セット１００３はそこから延びる２つのラッチアーム１２１を有している。ラッチアーム１２１は、フレキシブルカンチレバーラッチで有り、着脱可能に表面と係合する。第一セット１００１のラッチアーム１２１は、開口部１１５から延びて構成し、ハウジング１０７の表面と係合する。第二セット１００３のラッチアーム１２１は、開口部１１５から延びて構成し、パネル１１３の表面と係合する。
【００２０】
ハウジング１０７と係合すると、ベゼル１１９は、パネル１１３に近接してまたは反対に残ることとなる。この係合は、組立体１００をパネル１１３と対応する場所に保持している。換言すれば、ラッチアーム１２１は、ハウジング１０７と係合し、ハウジング１０７とラッチアーム１２１との係合は、ベゼル１１９とパネル１１３の係合を提供する。ベゼル１１９は、パネル１１３に関してのハウジング１０７と光放出要素１０５（図１０では図示されていない）とを含む組立体１００の位置を保持する。ガスケット１００５は、パネル厚および／またはベゼルの予めの位置決めにおいて様々に機能提供される。一実施形態では、図１１に示されるように、ベゼル１１９は、内部方向にラッチさせる第一セット１００１と外部方向にラッチさせる第二セット１００３とを含むラッチアーム１２１の構成を含んでいる。しかしながら、本実施形態のラッチアーム１２１の構造に特に限られることがなく、ラッチアーム１２１は、開口部１１５から延び、かつ、ハウジング１０７とパネル１１３とを係合させることができるラッチアーム１２１を適宜採用することができる。
【００２１】
図１１には、パネル１１３と係合したベゼル１１９の図１０における組立体１００が示される。組立体１００は、図１０で開示され、説明された内容の構造を含んでいる。しかしながら、当該実施形態で、第二セット１００３のラッチアーム１２１は、パネル１１３の表面１１０１と係合する。パネル１１３との係合位置に係るベゼル１１９の位置決めは、ハウジング１０７と案内されうる実質的に堅牢で安定な構造を提供する。ベゼル１１９は、パネル１１３にプリセットされ、ハウジング１０７と光放出要素１０５は、効率的製造を機能させるための分離組立動作後に実装される。ベゼル１１９がパネル１１３にプリセットされると、片手だけでベゼル１１９の実装が可能となる。
【００２２】
図１２には、パネル１１３が実装された本実施形態に係る図１０と図１１の組立体１００の上面から見た斜視図が示される。図１２に示されるように、ベゼル１１９は、第一セットの１００１のラッチアーム１２１を経由してパネル１１３の開口部１１５を通じてハウジング１０７と係合される。ベゼル１１９とハウジング１０７との係合は、パネル１１３と関連しての組立体１００の相対位置を維持する。
【００２３】
図１３は、図１２の線１３−１３で切断した断面図である。図１３に示されるように、実装基板１０１は、ハウジング１０７と係合される。実装基板１０１は、公知の適宜方法によりハウジング１０７と係合または付着してもよい。例えば、図１２には、機械的な内部ロック調整機構が示されており、実装基板１０１はハウジング１０７に、接着やラッチやＰＣＢ構造とハウジング１０７との係合のための公知の方法で、搭載されてもよい。加えて、光放出要素１０５は、十分にレンズ部１１１に近接して配置され、所望の位置に高効率の配光を提供する。ベゼル１１９は、着脱可能にパネル１１３の表面１１０１とハウジング１０７の表面１２０１と係合される。特に、第一セット１００１のラッチアーム１２１は、ハウジング１０７との据え付けやロック、ラッチの際、弾性的にハウジングについて外方向に偏向させ、表面１２０１との保持および／または接触を提供する。第二セット１００３のラッチアーム１２１は、着脱可能にパネル１１３の表面１１０１と係合する。特に、ラッチアーム１２１は、ラッチアーム１２１がパネル１１３の開口部１１５を通じて案内され、パネル１１３とロックまたはラッチされると、弾性的に内部方向に偏向させ、表面１１０１との保持および／または接触を提供する。
【００２４】
図１４は、図１２の線１４−１４で切断した断面図である。以上の図１３に関して図示し、説明されるように、第一セット１００１のラッチアーム１２１はパネル１１３の開口部１１５を通じて延び、表面１２０１と係合する。ハウジング１０７とベゼル１１９を係合解除するために、ラッチアーム１２１は、手動でまたは表面１２０１からの操作やツールによって偏向されてもよい。さらに、ラッチアーム１２１の第二セット１００３は、表面１１０１と同様の方法で係合解除されてもよい。係合解除によって、ベゼル１１９は、開口部１１５から取り除かれ、組立体１００は、個別の要素についての所望の修理・交換・アップグレードのために、さらに解体されてもよい。
【００２５】
図１５には、ラッチアーム１２１の第一セット１００１と第二セット１００３を有するベゼル１１９が示される。以上で説明されるように、ラッチアーム１２１の第一セット１００１は、ハウジング１０７と係合され、ラッチアーム１２１は、開口部１１５内に挿入され、ハウジング１０７の表面１２０１と係合する（図１４）。加えて、ラッチアーム１２１の第二セット１００３は、開口部１１５を通じて延びて配され、着脱可能にパネル１１３の表面１１０１と係合する（図１３）。以上で説明されるように、ベゼル１１９は、パネル１１３上の組立体１００を固定することに加えて、ベゼル１１９がレンズ部１１１を装飾するように係合されると、可視的なカーブされ装飾された表面である審美的な要望を満たすものである。さらに、ベゼル１１９は、位置決め・安定・機械特性を提供する位置決め機構やスロット、他の特徴機能的特徴のような機能的特徴を含んでもよい。例えば、より簡易な組立体のためのハウジングのレンズ部の位置決めや案内をするために、垂直リブがラッチアーム１２１に沿って提供されてもよい。
【００２６】
図１６には、他の実施形態に係るパネル実装用光放出要素組立体１００の分解図が示される。組立体１００は、図１６では図示されていない電気的連通のためのワイヤ１０３を有する実装基板１０１および図１について以上で説明された構造と、を含む。図１６では図示されていない光放出要素１０５は実装基板１０１上に搭載され、特に限られることがなく、図１でより詳細に説明された光放射のためのデバイスを含むことができる。ハウジング１０７は、実装基板１０１と光放出要素１０５とを受容して構成される。ハウジング１０７は、特に限られることがなく、ＡＢＳ樹脂や他の同様の電気絶縁性ポリマー材料や適宜選択された材料から形成される。ハウジング１０７は、さらには、ハウジング本体から延びるレンズ部１１１を含む。
【００２７】
パネル１１３は、そこに配置された開口部１１５を含んでいる。パネル１１３は、特に限られることがない任意の表面・構造・基質であってよく、光放出要素組立体１００がその上に実装される。ハウジング１０７とパネル１１３との間に配されるのはガスケット１１７である。組立体１００がガスケット１１７を含んで図示されているが、ガスケットは省略することが可能である。ガスケットは、発泡体や他の絶縁性材料から形成してもよく、シールや振動の耐久を提供し、および／または、ハウジング１０７とパネル１１３を、特に組立体１００の据え付けと分解の際に、ショックから保護する。位置決め突起１６０１はハウジング１０７との回転位置決めを可能とする機構であり、組立体１００は唯一の正しい方向へ位置決めされる。組立体１００は、さらにディスプレイ表面すなわちフェイスプレート１２０とそこから延びるラッチアーム１２１の第一セット１００１および第二セット１００３を有している。それぞれ第一セット１００１および第二セット１００３はそこから延びる２つのラッチアーム１２１を有している。ラッチアーム１２１は、フレキシブルカンチレバーラッチで有り、着脱可能に表面と係合する。第一セット１００１のラッチアーム１２１は、開口部１１５から延びて構成し、ハウジング１０７の表面と係合する。第二セット１００３のラッチアーム１２１は、開口部１１５から延びて構成し、パネル１１３の表面と係合する。
【００２８】
ハウジング１０７と係合すると、ベゼル１１９は、パネル１１３に近接してまたは反対に残ることとなる。この係合は、組立体１００をパネル１１３と関連する場所に保持している。換言すれば、ラッチアーム１２１、ハウジング１０７と係合し、ハウジング１０７とラッチアーム１２１との係合は、ベゼル１１９とパネル１１３の係合を提供する。ベゼル１１９は、パネル１１３に関してのハウジング１０７と光放出要素１０５（図１６では図示されていない）とを含む組立体１００の位置を保持する。ガスケット１００５は、パネル厚および／またはベゼルの前位置決めにおいて様々に機能提供される。
【００２９】
図１７には、パネル１１３と係合されたベゼル１１９を有する図１０の光放出要素組立体１００が示される。組立体１００は、図１６に開示・説明された内容の構造を含む。しかしながら、この実施形態では、第二セット１００３のラッチアーム１２１はパネル１１３の表面１１０１と係合する。パネル１１３と係合された位置でのベゼル１１９の位置決めは、ハウジング１０７が案内される際に実質的に堅牢で安定な構造を提供する。
【００３０】
図１８には、本実施形態に係るパネル１１３が実装された図１６、１７の組立体の上から見た斜視図が示される。図１７に示されるように、ベゼル１１９は、第一セット１００１のラッチアーム１２１を経由してパネル１１３の開口部１１５を通じてハウジング１０７と係合される。ハウジング１０７とのベゼル１１９の係合は、パネル１１３に関連しての組立体１００の相対位置を維持する。
【００３１】
図１９は、図１８の線１９−１９で切断した断面図である。図１９に示されるように、実装基板１０１は、ハウジング１０７と係合される。実装基板１０１は、公知の適宜方法によりハウジング１０７と係合または付着してもよい。例えば、図１２には、機械的な内部ロック調整機構が示されており、実装基板１０１はハウジング１０７に、接着やラッチやＰＣＢ構造とハウジング１０７との係合のための公知の方法で、搭載されてもよい。加えて、光放出要素１０５は、十分にレンズ部１１１に近接して配置され、所望の位置に高効率の配光を提供する。ベゼル１１９は、着脱可能にパネル１１３の表面１１０１とハウジング１０７の表面１２０１と係合される。特に、第一セット１００１のラッチアーム１２１は、ハウジング１０７との据え付けやロック、ラッチの際、弾性的にハウジングについて外方向に偏向させ、表面１２０１との保持および／または接触を提供する。第二セット１００３のラッチアーム１２１は、着脱可能にパネル１１３の表面１１０１と係合する。特に、ラッチアーム１２１は、ラッチアーム１２１がパネル１１３の開口部１１５を通じて案内され、パネル１１３とロックまたはラッチされると、弾性的に内部方向に偏向させ、表面１１０１との保持および／または接触を提供する。
【００３２】
図２０は、図１８の線２０−２０で切断した断面図である。以上、図１７に関して図示し、説明されるように、第一セット１００１のラッチアーム１２１はパネル１１３の開口部１１５を通じて延び、表面１２０１と係合する。ハウジング１０７とベゼル１１９を係合解除するために、ラッチアーム１２１は、手動でまたは表面１２０１からの操作やツールによって偏向されてもよい。さらに、ラッチアーム１２１の第二セット１００３は、表面１１０１と同様の方法で係合解除されてもよい。係合解除によって、ベゼル１１９は、開口部１１５から取り除かれ、組立体１００は、個別の要素についての所望の修理・交換・アップグレードのために、さらに解体されてもよい。
【００３３】
図２１には、本実施形態に係る細長形状のハウジング１０７が示される。ハウジング１０７は、レンズ部１１１の直径におよそ等しい第一寸法２１００を含む。そのような小さな直径は、殆どクリアランスがない場合や、細長い配置のハウジング１０７と組立体１００の位置決めと配置を許容する。一方で、特に限られないが、ラッチやスロット、他の機構を、実装基板１０１と係合するために使用してもよい。
【００３４】
図２２には、ラッチアーム１２１の第一セット１００１と第二セット１００３とを有するベゼル１１９が示される。以上で説明されるように、ラッチアーム１２１の第一セット１００１は、細長形状ハウジング１０７と係合して構成され、ラッチアーム１２１は開口部１１５内へ挿入され、ハウジング１０７の表面１２０１と係合する（図２０）。加えて、ラッチアーム１２１の第二セット１００３は、パネル１１３の開口部１１５を通じて延び、表面１１０１と係合する（図１９）。以上で説明されるように、ベゼル１１９は、パネル１１３上の組立体１００を固定することに加えて、ベゼル１１９がレンズ部１１１を装飾するように係合されると、可視的なカーブされ装飾された表面である審美的な要望を満たすものである。さらに、ベゼル１１９は、位置決め・安定・機械特性を提供する位置決め機構やスロット、他の特徴機能的特徴のような機能的特徴を含んでもよい。加えて、図示されるように、第一セット１００１のラッチアーム１２１は、ハウジングのレンズ部の係合を案内するために構成された円面配置（Ｃｉｒｃｕｌａｒ  Ｃｈａｍｆｅｒ  ｇｅｏｍｅｔｒｙ）を含む。
【符号の説明】
【００３５】
１００・・・パネル実装光放出要素組立体
１０１・・・実装基板
１０３・・・ワイヤ
１０５・・・光放出要素
１０７・・・ハウジング
１０９・・・脚部
１１１・・・レンズ部
１１３・・・パネル
１１５・・・開口部
１１９・・・ベゼル
１２０・・・表面
１２１・・・ラッチアーム
４０１・・・スロット
１００１・・・第一セット
１００３・・・第二セット
- 1 -